(57)【要約】      （修正有）【課題】便ふた全体が汚れているイメージを払拭し、一部分に手で直接接触して開閉しても抵抗を感じさせないデザインの便ふたを提供する。【解決手段】便ふた１は、便座３の幅よりも両横にそれぞれ突き出た部分２を有し、扇形状の平面を繋ぎ合わせて模様を形成する貝殻の形状となっている。また、便器開口部は幅が便座３の幅よりも幅広の貝殻形状で、便器中部表面には緩やかな凹凸で線を形成する貝殻模様となっていて、便器の外側表面は扇形状の緩やかなカーブ面を繋ぎ合わせて模様を形成する、便ふた１と組み合わせて全体で二枚貝を模す様に構成されている。【選択図】図２
2016163677.tif 000002
【特許請求の範囲】
【請求項１】
便座の縁よりそれぞれ両横に突き出た部分を有する一枚つづきの形状を特徴とする便ふた
【請求項２】
円弧状に前記それぞれ両横に突き出た部分を有する一枚つづきの形状を特徴とする請求項１の便ふた
【請求項３】
便座幅より両側が突き出た貝殻の形状を特徴とする請求項１の便ふた
【請求項４】
貝殻形状の便器と組み合わせて二枚貝を模した形状を構成することを特徴とする請求項１の便ふた
【発明の詳細な説明】
【技術分野】
【０００１】本発明は、便器に付随する便ふたに関するものである。
【背景技術】
【０００２】  便器や便座に付随していて不潔感があり、実際に清掃を手を抜きがちな部分である便ふたは、使用後に閉められることが少なく、使用前に閉じている場合でも手でさわって開けることに抵抗を感じながら使用している人も少なくなかった。特に、公共施設や飲食店などでは設置された他人と共用の便器を不潔に感じて、付随する便ふただけでなく、トイレ中が乱暴に使用されることもあった。
現在、おおむね楕円形状の便器開口部の縁と同様な便座と便ふたが一般的な形状であって、例えば、便座がＵの字型の様に縁が繋がっていないところがある場合は、使用前に小さな隙間に手を入れて便座と接触しない部分をつかんで便ふたを持ち上げる人がいる。
【発明の開示】
【発明が解決しようとする課題】
【０００３】  便器や便座に付随していて不潔感があり、実際に清掃を手を抜きがちな部分である便ふたは、便ふた全体が汚れているイメージがあり、手で直接便ふたに接触し開閉することに抵抗があるという問題点があった。
また、清掃をする視点から合理的であるものの、簡素な形状、質感の従来の便ふたは、心理的に雑に使用されやすい問題点があった。【０００４】  本発明は、上記従来技術の問題点を解決することを課題とする。具体的には、一部分が便座と直接接触しない構造の便ふたを提供し、便ふた全体が汚れているイメージを払拭し、前記一部分に手で直接接触し開閉に抵抗を感じさせないことである。
さらに、積極的に開閉させる、自然と丁寧に使用させるデザインの便ふたを提供することである。
【課題を解決するための手段】
【０００５】  本発明は、便器や便座に付随する便ふたにおいて、便座の縁よりそれぞれ両横に突き出た部分を有する一枚つづきの形状を特徴とし、この両横にそれぞれ突き出た部分が便座と直接接触しない構造で、直接手で接触し便ふたを開閉することに抵抗を感じさせない。
【発明の効果】
【０００６】  本発明の便ふたは、従来の便ふたの両横にそれぞれ突き出た部分を有するだけの構造であって、この両横にそれぞれ突き出た部分を容易に直接手でつかんで従来の便ふたと同様に使用できる。
また、この両横にそれぞれ突き出た部分は便座と直接接触しない構造となっていて不潔感を感じることなく手で直接接触しやすい。
【発明を実施するための最良の形態】
【０００７】  図面を使って、本発明の実施の形態を説明する。
図１は、本発明の便ふた１で、図２に示すように、便座３の幅よりも両横にそれぞれ突き出た部分２を有し、扇形状の平面を繋ぎ合わせて模様を形成する貝殻の形状となっている。また、図３に示すように、便器開口部５は幅が便座３の幅よりも幅広の貝殻形状で、便器中部表面には緩やかな凹凸で線を形成する貝殻模様となっていて、図４に示すように、便器４の外側表面は扇形状の緩やかなカーブ面を繋ぎ合わせて模様を形成する、便ふた１と組み合わせて全体で二枚貝を模す様に構成されている。
この便ふた１はそれぞれ突き出た部分２と便座３が、便座３は便器４の幅広の部分と、直接接触しない構造となっていて、たとえＯの字型の便座であっても手で直接接触しやすく不潔感を感じさせにくい。
また、全体で二枚貝を模した形状であることは、条件反射的に若しくは好奇心で意識的に、無意識に突き出た部分２をつかんで便ふた１の開閉を積極的にさせる作用があり、視覚的に水と調和して違和感がなく、さらに上質で高級感を感じさせる。
その結果、本発明の便ふた１を付随したことによって、便ふた１だけでなく、自然に便器４やトイレそのものを丁寧に使用されやすくなる効果がある。
特に、使用者にとって公共施設や飲食店などに設置された他人と共用のトイレで有益である。
なお、便ふた１の貝殻模様は描いて表すこともできるし、便器４の外側表面は扇形状の平面を繋ぎ合わせても凹凸で模様を形成してもよい。
【図面の簡単な説明】
【０００８】
【図１】本発明の第１実施例の便ふたを示した正面図である。
【図２】本発明の第１実施例の便ふたを示した作用説明図である。
【図３】本発明の第１実施例の便器開口部を示した正面図である。
【図４】本発明の第１実施例の便器を示した側面図である。
【符号の説明】
【０００９】    １、便ふた
２、突き出た部分
３、便座
４、便器
５、便器開口部
６、便器中部表面の線
７、排水用穴
【図１】
2016163677.tif 000003
【図２】
2016163677.tif 000004
【図３】
2016163677.tif 000005
【図４】
2016163677.tif 000006
【手続補正書】
【提出日】平成27年4月16日(2015.4.16)
【手続補正１】
【補正対象書類名】明細書
【補正対象項目名】０００７
【補正方法】変更
【補正の内容】
【０００７】  図面を使って、本発明の実施の形態を説明する。
図１は、本発明の便ふた１で、図２に示すように、便座３の幅よりも両横にそれぞれ突き出た部分２を有し、扇形状の平面を繋ぎ合わせて模様を形成する貝殻の形状となっている。また、図３に示す便器開口部５は幅が便座３の幅よりも幅広の貝殻形状で、便器中部表面には緩やかな凹凸で線を形成する貝殻模様となっていて、図４に示すように、便器４の外側表面は扇形状の緩やかなカーブ面を繋ぎ合わせて模様を形成する、便ふた１と組み合わせて全体で二枚貝を模す様に構成されている。
この便ふた１はそれぞれ突き出た部分２と便座３が、便座３は便器４の幅広の部分と、直接接触しない構造となっていて、たとえＯの字型の便座であっても手で直接接触しやすく不潔感を感じさせにくい。
また、全体で二枚貝を模した形状であることは、条件反射的に若しくは好奇心で意識的に、無意識に突き出た部分２をつかんで便ふた１の開閉を積極的にさせる作用があり、視覚的に水と調和して違和感がなく、さらに上質で高級感を感じさせる。
その結果、本発明の便ふた１を付随したことによって、便ふた１だけでなく、自然に便器４やトイレそのものを丁寧に使用されやすくなる効果がある。
特に、使用者にとって公共施設や飲食店などに設置された他人と共用のトイレで有益である。
なお、便ふた１の貝殻模様は描いて表すこともできるし、便器４の外側表面は扇形状の平面を繋ぎ合わせても凹凸で模様を形成してもよい。
【手続補正２】
【補正対象書類名】図面
【補正対象項目名】図２
【補正方法】変更
【補正の内容】
【図２】
2016163677.tif 000007